(57)【特許請求の範囲】
【請求項１】
側端部に前、後、側方に開口するジョイント配置用凹部を形成するとともに上下方向に貫通する連結軸挿通孔を形成し、この連結軸挿通孔の軸心から板厚の１／２以下の距離に前、後面から側端縁に亘る側面を形成してなる間仕切パネルと、
間仕切パネルの板厚の略２倍の幅を有するとともに間仕切パネルの板厚と略同一の厚さを有し、両側部に上下方向に貫通する連結軸挿通孔を形成し、この連結軸挿通孔の軸心から板厚の１／２以下の距離に前、後面から側端縁に亘る側面を形成してなるパネルジョイントとを設け、
隣接する間仕切パネルの前記ジョイント配置用凹部を対向させてジョイント配置用空間を画成し、このジョイント配置用空間にパネルジョイントを配置し、間仕切パネルの前記連結軸挿通孔及びパネルジョイントの前記連結軸挿通孔に連結軸を挿通させて間仕切パネルを回動自在とするとともに、
前記間仕切りパネルの側端部に弾力付勢した係合体を配設し、前記パネルジョイントの側面に連結軸挿通孔を中心とする所定角度位置に複数の係合溝を形成し、この係合溝に前記係合体を係合自在としたことを特徴とする間仕切パネルの連結構造。
【請求項２】
間仕切パネルの側面は、連結軸挿通孔の軸心から板厚の略１／２の曲率半径を有する円弧状曲面であることを特徴とする請求項１に記載の間仕切パネルの連結構造。
【請求項３】
パネルジョイントは、板厚方向に分割したジョイント分割体からなることを特徴とする請求項１又は２に記載の間仕切パネルの連結構造。
【発明の詳細な説明】
【０００１】
【発明の属する技術の分野】
本発明は、間仕切壁を構成する間仕切パネル同士を回動自在に連結する間仕切パネルの連結構造に関する。
【０００２】
【従来の技術】
従来より、簡易に室内空間を間仕切るものとして、間仕切パネル同士を回動自在に連結して間仕切壁を構成するものが知られている。
図１７に示す間仕切壁１００は、間仕切パネル１０１，１０１の側端部１０２，１０２に断面円形状の連結溝１０３，１０３を形成し、連結材１０４の円柱状の嵌合部１０５，１０５を連結溝１０３，１０３に嵌合することにより、間仕切パネル１０１，１０１同士を回動自在に連結している（特開平９- １９５４２５号公報参照）。又、連結溝１０３の内周面に形成した係合凹部１０６，・・・に嵌合部１０５の外周面に形成した係合凸部１０７，・・・を係合することにより、間仕切パネル１０１，１０１を所定角度に設定できるようにしてある。
【０００３】
【発明が解決しようとする課題】
しかし、上記間仕切壁１００では、連結溝１０３の開口部１０８は狭幅としてあり、連結材１０４の結合部１０９が開口部１０８の内壁面に当接してしまうため、間仕切パネル１０１の回動角度は小さく、間仕切パネル１０１，１０１を直角に設定したり、パネル表面１１０，１１０同士を当接して折り畳むことはできなかった。
よって、間仕切パネル１０１，１０１を種々角度に設定して室内空間を適宜形状に間仕切ることはできず、又、間仕切パネル１０１，１０１を折り畳んでコンパクトに収納することもできなかった。
【０００４】
本発明は、かかる従来における問題点を解決すべく為されたものであり、その目的とするところは、間仕切パネルを種々角度に設定して室内空間を適宜形状に間仕切ることができ、又、間仕切パネルを折り畳んでコンパクトに収納することもできる間仕切パネルの連結構造を提供することにある。
【０００５】
【課題を解決するための手段】
上記目的を達成するべく、本発明の間仕切パネルの連結構造は、側端部に前、後、側方に開口するジョイント配置用凹部を形成するとともに上下方向に貫通する連結軸挿通孔を形成し、この連結軸挿通孔の軸心から板厚の１／２以下の距離に前、後面から側端縁に亘る側面を形成してなる間仕切パネルと、間仕切パネルの板厚の略２倍の幅を有するとともに間仕切パネルの板厚と略同一の厚さを有し、両側部に上下方向に貫通する連結軸挿通孔を形成し、この連結軸挿通孔の軸心から板厚の１／２以下の距離に前、後面から側端縁に亘る側面を形成してなるパネルジョイントとを設け、隣接する間仕切パネルの前記ジョイント配置用凹部を対向させてジョイント配置用空間を画成し、このジョイント配置用空間にパネルジョイントを配置し、間仕切パネルの前記連結軸挿通孔及びパネルジョイントの前記連結軸挿通孔に連結軸を挿通させて間仕切パネルを回動自在としたことを特徴とする。
【０００６】
間仕切パネルの側端部に弾力付勢した係合体を配設し、パネルジョイントの側面に連結軸挿通孔を中心とする所定角度位置に複数の係合溝を形成し、この係合溝に前記係合体を係合自在とすれば、隣接する間仕切パネル間の為す角度を所定角度に設定することができる。
【０００７】
又、間仕切パネルの側面を連結軸挿通孔の軸心から板厚の略１／２の曲率半径を有する円弧状曲面とすれば、間仕切パネルとパネルジョイントとが当接することなく、間仕切パネル間の為す角度を０〜３６０°に渡って設定することができる。
【０００８】
さらに、パネルジョイントを板厚方向に分割したジョイント分割体から構成すれば、間仕切パネルへのパネルジョイントの装着が容易となり、好ましい。
【０００９】
【発明の実施の形態】
以下、本発明の間仕切パネルの連結構造の実施例について図面を参照して説明する。
図１は本発明の間仕切パネルの連結構造を適用した間仕切壁と収納ボックスとよりなる間仕切ユニットの側面図、図２は間仕切パネルの連結構造を示す断面図、図３は間仕切パネルの一部を示す斜視図、図４はパネル表面板の一部を示す斜視図、図５（Ａ）は側枠材の一部を示す斜視図、（Ｂ）はその断面図、図６は係合機構を示す部分断面図、図７は係合機構の装着状態を示す斜視図、図８（Ａ）はパネルジョイントの平面図、（Ｂ）はその正面図、図９は一方のジョイント分割体の断面図、図１０は他方のジョイント分割体の断面図、図１１は間仕切パネルへパネルジョイントを装着する方法を示す断面図、図１２はパネルジョイント装着部近傍の側面図、図１３は間仕切パネルを折り畳んだ状態を示す要部断面図、図１４〜１６は間仕切ユニットの使用状態を示す説明図である。
【００１０】
本発明の間仕切パネルの連結構造を適用した間仕切壁１は、図１及び２に示すように、複数の間仕切パネル２、２・・をパネル側面２１を対向させるように並設し、隣接する間仕切パネル２，２をパネルジョイント３を介して回動自在に連結してあり、室内空間Ｃ（図示せず）を適宜形状に間仕切ることができる。
【００１１】
間仕切ユニットＡは、間仕切壁１と収納ボックスＢとより構成される。収納ボックスＢは、間仕切パネル２よりも若干大きい幅及び高さを有し、複数の間仕切パネル２，２，・・・をパネル表面２２を当接させて折り畳んだ時の厚さよりも若干大きい奥行を有する。前面部には扉を設け、室内壁面に沿って配設されるガイドレール（図示せず) にスライド可能に係合される係合部Ｂ１、Ｂ２を後面部上下端部に設け、一側内壁面に間仕切壁１の一側端１Ａを回動自在に係合させてある。
【００１２】
間仕切パネル２は、間仕切りを行う室内空間Ｃの空間容積などを考慮して所定の幅及び高さに形成した適宜厚さの板状体であって、図３に示すように、表面板４、４の幅方向両側から側枠材５、５を装着してある。
【００１３】
表面板４は、図４に示すように、合成樹脂、木材又は金属等からなる適宜厚さを有する板状体であって、側枠体５との係合代としての凸部４１を適宜幅だけ突設してある。
【００１４】
側枠材５は、図５に示すように、間仕切パネル２の板厚と略同一半径を有する円弧状曲面部５１を表面板４の凸部４１と略同一高さに形成してある。
円弧状曲面部５１の両内側面５１ａ，５１ａ間に連接片５２を架け渡し、連接片５２の一側面に円弧状曲面部５１の中心と同心状に連結軸６を挿通する連結軸挿通孔５３を有する円筒状の軸支持部５４を形成し、他側面に円弧状曲面部５１の両内側面５１ａ，５１ａとの間で表面板４，４を挟着できる係止溝５５，５５を形成する幅を有する適宜長さの矩形突出部５６を突設してある。
側枠材５の高さ方向には、間仕切パネル２の板厚と略同一深さだけ凹陥させ、前、後、側方に開口するジョイント配置用凹部５７を適宜間隔で形成してある。
【００１５】
連結軸６は、合成樹脂又は金属からなり、側枠材５の連結軸挿通孔５３に挿通し得る外径を有し、側枠材５の高さと略同一又は若干短い長さを有する。
【００１６】
係合機構７は、図６に示すように、一端を開口し、他端を閉鎖した円筒状の容器７１にコイルばね７２を挿入し、球状の係合体７３をコイルばね７２の一端に配置し、係合体７３よりも若干小径の突出孔７４を穿設した蓋体７５を被覆して、係合体７３にコイルばね７２によって弾力付勢させたものであり、蓋体７５は容器７１にカシメ又は接着などの適宜手段で固着してある。
【００１７】
支持部材７６は、図７に示すように、側枠材５の矩形突出部５６の内側に装入できる幅を有し、係合機構７の容器７１を嵌挿できる嵌挿孔７７、７７を形成してある。
【００１８】
パネルジョイント３は、合成樹脂、金属等より成形してなり、図８〜１２に示すように、間仕切パネル２の板厚の略２倍の幅及び板厚と略同一の厚さとし、側枠材５のジョイント配置用凹部５７の高さと略同一の高さとし、両側部には連結軸６を挿通する連結軸挿通孔３５，３５を形成してある。
又、両側面３１、３１を連結軸挿通孔３５を中心として厚さの略１／２の半径とした円弧状曲面としてあり、両側面３１，３１には、連結軸挿通孔３５，３５を中心として周方向に４５°間隔で前記係合体７３と係合する係合溝３２、３３，３４を形成してある。
【００１９】
パネルジョイント３は、間仕切パネル２への装着を容易とするために、厚さ方向中央部で２分割したジョイント分割体Ｄ、Ｅより構成してあり、内側面３６，３６同士を当接させ、嵌合凹部３７と嵌合凸部３８とを嵌合させて一体化してある。
外側面３９、内側面３６及び補強リブ３ａには、図８〜１０に示すように、ボルト８挿通用、ナット９挿通用及びこれらボルト８及びナット９を隠蔽する化粧キャップ１０係止用の貫通孔３ｂ、３ｃ、３ｄ，３ｅを穿孔してある。
【００２０】
間仕切パネル２を連結するには、先ず、図１１及び１２に示すように、間仕切パネル２，２の側面２１，２１同士を対向させて並置し、隣接する間仕切パネル２、２のジョイント配置用凹部５７，５７によってジョイント配置用空間を画成する。
次に、連結軸挿通孔３５を形成する割溝３５ａ、３５ａを連結軸６の周面に沿わせるとともに、対向する嵌合凹部３７と嵌合凸部３８とを嵌合させて、ジョイント分割体Ｄ，Ｅを間仕切パネル２の板厚方向両側から嵌着させる。
そして、ジョイント分割体Ｄ，Ｅをボルト８、ナット９によって締結させ、貫通孔３ｅに化粧キャップ１０を係止させて、間仕切パネル２，２を連結する。
【００２１】
かかる間仕切パネルの連結構造によれば、図１に示すように、間仕切パネル２，２はパネルジョイント３を介して回動自在に連結され、図２及び図１３に示すように、隣接する間仕切パネル２，２間の為す角度を４５°毎に０〜３６０°に渡って設定することができる。
すなわち、係合溝３２，３２に係合体７３，７３を係合することにより、間仕切パネル２，２を直線状に設定することができ、係合体７３，７３への付勢弾力に対抗する力で間仕切パネル２，２を押圧、回動し、係合溝３２，３２から係合体７３，７３を脱出させ、係合溝３４ａ，３４ｂに係合体７３，７３を係合することにより、間仕切パネル２，２のパネル表面２２，２２同士を当接させて折り畳むこともできる。
【００２２】
そして、かかる間仕切壁１を有する間仕切ユニットＡによれば、図１４に示すように、間仕切りを行わない場合には間仕切壁１を折り畳んで収納ボックスＢ内に収納しておくことができ、かつ収納ボックスＢを室内空間Ｃの隅部に位置させておくことができるので、室内空間Ｃの美観を損なうことがない。
間仕切りを行う場合には、間仕切りを行う場所まで収納ボックスＢをガイドレールに沿って移動し、図１４に示すように、収納ボックスＢから間仕切パネル２，２，・・・を取り出して直線状に間仕切壁１を形成する。又、図１５及び図１６に示すように、間仕切パネル２，２，・・・を矩形状又は傾斜状に折曲させて間仕切壁１を形成することもでき、適宜形状で室内空間Ｃの間仕切りを行うことができる。
【００２３】
なお、上記実施例においては、パネルジョイント３はジョイント分割体Ｄ，Ｅからなる２部材を係合させて構成したが、本発明はこれに限定されるものでなく、１部材から構成してもよい。
この場合には、隣接する間仕切パネル２、２のジョイント配置用凹部５７，５７によって画成されるジョイント配置用空間にパネルジョイント３を配置した後に、連結軸６を側枠材５の連結軸挿通孔５３とパネルジョイント３の連結軸挿通孔３５に挿通させ、間仕切パネル２，２とパネルジョイント３とを連結させればよい。
【００２４】
また、本実施例においては、隣接する間仕切パネル２，２を３個のパネルジョイント３，３，３によって連結してあるが、本発明はこれに限定されるものでなく、適宜個数のパネルジョイント３を使用して、適宜個所において連結させればよい。
【図面の簡単な説明】
【図１】本発明の間仕切パネルの連結構造を適用した間仕切壁と収納ボックスとよりなる間仕切ユニットの側面図である。
【図２】本発明の間仕切パネルの連結構造を示す断面図である。
【図３】間仕切パネルの一部を示す斜視図である。
【図４】図３の間仕切パネルのパネル表面板の一部を示す斜視図である。
【図５】側枠材の一部を示す（Ａ）は斜視図、（Ｂ）は断面図である。
【図６】係合機構を示す部分断面図である。
【図７】係合機構の装着状態を示す斜視図である。
【図８】パネルジョイントの（Ａ）は平面図、（Ｂ）は正面図である。
【図９】一方のジョイント分割体の断面図である。
【図１０】他方のジョイント分割体の断面図である。
【図１１】間仕切パネルへパネルジョイントを装着する方法を示す断面図である。
【図１２】パネルジョイント装着部近傍の側面図である。
【図１３】間仕切パネルを折り畳んだ状態を示す要部断面図である。
【図１４】間仕切ユニットの使用状態を示す説明図である。
【図１５】間仕切ユニットの使用状態を示す説明図である。
【図１６】間仕切ユニットの使用状態を示す説明図である。
【図１７】従来の間仕切壁の（Ａ）は使用状態を示す斜視図、（Ｂ）は間仕切パネルの連結構造を示す断面図である。
【符号の説明】
２          間仕切パネル
２１        側面
３          パネルジョイント
３１        側面
３２、３３ａ、３３ｂ、３４ａ、３４ｂ  係合溝
３５        連結軸挿通孔
５３        連結軸挿通孔
５７        ジョイント配置用凹部
６          連結軸
７３        係合体
Ｄ          ジョイント分割体
Ｅ          ジョイント分割体
【図１】
0003881131.tif 000002
【図２】
0003881131.tif 000003
【図３】
0003881131.tif 000004
【図４】
0003881131.tif 000005
【図５】
0003881131.tif 000006
【図６】
0003881131.tif 000007
【図７】
0003881131.tif 000008
【図８】
0003881131.tif 000009
【図９】
0003881131.tif 000010
【図１０】
0003881131.tif 000011
【図１１】
0003881131.tif 000012
【図１２】
0003881131.tif 000013
【図１３】
0003881131.tif 000014
【図１４】
0003881131.tif 000015
【図１５】
0003881131.tif 000016
【図１６】
0003881131.tif 000017
【図１７】
0003881131.tif 000018